(57)【要約】【課題】室外ユニットの縦方向の寸法を小さくすることができ、かつ、電磁弁のコイル固定部が作業者から視認することができる室外ユニットを提供する。【解決手段】圧縮機と、この圧縮機を含めて構成される冷媒回路と、この冷媒回路の冷媒管に設けられた複数の電磁弁と、この複数の電磁弁に対応する複数の電磁弁コイルが、隣り合う高さ位置が異なるように取り付けられる取付ステーとを収納した本体部を備え、この本体部の外側面にはメンテナンス用の開口部７０が形成され、この開口部７０から取付ステー７１が表出する室外ユニットであって、電磁弁及び電磁弁コイルが取付ステーの裏面側にそれぞれ取り付けられ、取付ステーに電磁弁及び電磁弁コイルのそれぞれの取付状態を取付ステー７１の表面側から確認可能な確認手段７４を設けた。【選択図】図６
2008008497.tif 000002
【特許請求の範囲】
【請求項１】
圧縮機と、この圧縮機を含めて構成される冷媒回路と、この冷媒回路の冷媒管に設けられた複数の電磁弁と、この複数の電磁弁に対応する複数の電磁弁コイルが取り付けられる取付ステーとを収納した本体部を備え、この本体部の外側面にはメンテナンス用の開口部が形成され、この開口部から前記取付ステーが表出する室外ユニットであって、
前記電磁弁コイルは、前記取付ステーの裏面側に隣り合う高さ位置が異なる態様でそれぞれ取り付けられ、前記取付ステーには、前記電磁弁及び前記電磁弁コイルのそれぞれの取付状態を前記取付ステーの表面側から確認可能な確認手段を設けたことを特徴とする室外ユニット。
【請求項２】
前記確認手段は、前記電磁弁と前記電磁弁コイルとの締結部分を視認可能に形成された確認孔であることを特徴とする請求項１に記載の室外ユニット。
【発明の詳細な説明】
【技術分野】
【０００１】
本発明は、電磁弁が取り付けられる取付ステーをメンテナンス空間に配置した室外ユニットに関する。
【背景技術】
【０００２】
従来、圧縮機と、この圧縮機から吐出される冷媒中の油を分離する油分離器と、圧縮機及び油分離器等をつないで一連の冷媒回路を構成する冷媒管と、この冷媒管に設けられる電磁弁とが収納された室外ユニットが知られている。この種のものでは、空調負荷に応じて出力される指令信号に基づいて、圧縮機並びに複数の電磁弁が制御され、それにより冷媒管を流れる冷媒の流れが制御される仕組みになっている。
【０００３】
この種の室外ユニットは、縦長な外形形状を有しており、上述の複数の電磁弁は、冷媒の流れを良好にするために、油分離器よりも上方の位置に配置されている。また、室外ユニットには、外部からメンテナンス可能な点検口が形成されている一方、この点検口からは、複数の電磁弁が取り付けられる取付ステーが表出している。これらの電磁弁及び電磁弁と対応する電磁弁コイルの固定部は、冷媒管の引き回しの都合上、点検口から見て取付ステーの裏面側に取り付けられることになる。そのため、この電磁弁のコイル固定部が作業者から視認可能なように、電磁弁の上方までメンテナンススペースを拡張し、このメンテナンススペースから電磁弁のコイル固定部を覗き見ることができるようにしている（例えば、特許文献１参照）。
【０００４】
一方、複数の電磁弁コイルを取付ステーに取り付ける場合には、電磁弁コイルの自らの発熱によって隣り合う電磁弁コイルに熱影響を与えないように、隣り合う電磁弁コイル同士の高さ位置を異ならせるようにしている。
【特許文献１】特許第３２１９５３９号
【発明の開示】
【発明が解決しようとする課題】
【０００５】
室外ユニットの縦方向の寸法を抑え、室外ユニットの小型化を図ろうとする場合、上述したメンテナンススペースはできるだけ小さい方が好ましい。しかしながら、電磁弁のコイル固定部が作業者から視認できない場合、電磁弁が取付ステーに完全に固定されているか否かが作業時に確認できない。特に、電磁弁コイルの取り付け高さ位置が低い場合には、電磁弁が取付ステーに隠れてしまい、確認作業が困難であった。
【０００６】
本発明は、上述した事情に鑑みてなされたものであり、室外ユニットの縦方向の寸法を小さくすることができ、かつ、電磁弁のコイル固定部が作業者から視認することができる室外ユニットを提供することを目的とする。
【課題を解決するための手段】
【０００７】
本発明に係る室外ユニットでは、圧縮機と、この圧縮機を含めて構成される冷媒回路と、この冷媒回路の冷媒管に設けられた複数の電磁弁と、この複数の電磁弁に対応する複数の電磁弁コイルが取り付けられる取付ステーとを収納した本体部を備え、この本体部の外側面にはメンテナンス用の開口部が形成され、この開口部から前記取付ステーが表出する室外ユニットであって、前記電磁弁コイルは、前記取付ステーの裏面側に隣り合う高さ位置が異なる態様でそれぞれ取り付けられ、前記取付ステーには、前記電磁弁及び前記電磁弁コイルのそれぞれの取付状態を前記取付ステーの表面側から確認可能な確認手段を設けたことを特徴とする。
この構成によれば、確認手段から電磁弁及び電磁弁コイルの取付確認を行い得るので、メンテナンススペースの上側から覗き込んで、電磁弁のコイル固定部の状態を確認する必要がなくなる。
【０００８】
また、前記確認手段は、前記電磁弁と前記電磁弁コイルとの締結部分を視認可能に形成された確認孔で構成することもできる。
この構成によれば、目視によって容易に取付確認をすることができる。
【発明の効果】
【０００９】
本発明によれば、メンテナンススペースに臨む開口部から取付ステーが表出しており、取付ステーに電磁弁及び電磁弁コイルの取付確認を取付ステーの表側面から行い得る確認手段を形成しているので、メンテナンススペースの上方から電磁弁のコイル固定部を覗き見なくても、この確認手段によって取付確認ができるようになる。その結果、メンテナンススペースの上方に、取付確認のための広いスペースを確保する必要がなくなり、室外ユニットの縦方向の寸法を小さくすることができる。
【発明を実施するための最良の形態】
【００１０】
以下、本発明の実施の形態に係る室外ユニットについて、図面を参照しながら説明する。図１は、本発明の実施の形態に係る室外ユニットを斜め上方から見た状態の概要図である。なお、以下の説明で使用する、前後、上下、左右の方向は、図１における前面板７側から見た方向をいうものとする。
【００１１】
室外ユニット１は、図１に示すように、前後方向に長手方向を有する略角柱形状をなしており、室外ユニット１の外側部分（本体部）を、上面板２、底面板３，左右の側板４，５、後面板６、および前面板７とで構成している。この前面板７は、メンテナンス時などに取り外し可能なように、ねじなどの締結部材で取り付けられている。また、この室外ユニット１は、屋外で雨水に曝される環境で使用されるため、各板の組み合わされる部分が水密構造となるように組み付けられている。
【００１２】
前面板７が取り付けられる面の右側部分には、図１に示すように、後面板６側に向かって凹んでおり前面板７の面と略平行な２つの段差面１２、１３が形成されている。この段差面１２、１３は、室外ユニット１の上下方向に亘ってそれぞれ延在しており、この２つの段差面１２、１３のうちの奥側の段差面１３からは、各種配管が室外ユニット１の内部から外側に向かって突出している。この配管は、詳細には、水熱源用の冷却水を取り込むための給水用配管１４ａ及び冷却水の排水用配管１４ｂ、３ウェイ用の冷媒管（高圧管１５ａ、低圧管１５ｂ、液管１５ｃ）、及びオイル管１５ｄである。なお、２ウェイの場合には、２本の冷媒管（ガス管３２及び液管３３。図３参照）となる。
また、排水用配管１４ｂの左側には、締結部材によって着脱可能に取り付けられた蓋部１６を備えている。
【００１３】
一方、室外ユニット１の左右の下側側部には、図１に示すように、室外ユニット１の長手方向に沿って延在する吊り金具１７が取り付けられている。この吊り金具１７は、室外ユニット１に取り付けられた状態で底面板３よりも下側に位置するフランジ平面１７ａを有しており、室外ユニット１を床面等に置いたときに、このフランジ平面１７ａで室外ユニット１の自重を受け、底面板３に室外ユニット１の自重が掛からないようになっている。
【００１４】
図２は、図１の状態から、上面板２、右側の側板４、前面板７、および蓋部１６を省略して示す斜視図である。
室外ユニット１の内部には、前面板７の後側に配置された電装箱１１と、この電装箱の後側に配置された２つの圧縮機１８ａ、１８ｂと、電磁式の四方弁１９（図３参照）、水冷式熱交換器２０、アキュムレータ２２、油分離器２３、室外膨張弁２４、油分離器２３よりも高所に取り付けられる電磁弁３６ａ、３６ｂ、３６ｃ、３６ｄ（図３参照）、冷媒調節器２５（図３参照）などが配置されている。これらは、冷媒管によって接続されて、冷媒回路を構成している。また、室外ユニット１の前面板７を取り外すと、電装箱１１の内部に取り付けられた基板８、端子台９、継電器１０などが室外ユニット１の外側からメンテナンスできるようになっている。
【００１５】
図３は、室外ユニット１を備えてなる空気調和装置の２ウェイの冷媒回路図を示す。なお、図３において、３０ａ、３０ｂは室内ユニットを示している。
室外ユニット１を含んで構成された空気調和装置３１は、ガス管３２、液管３３、及びバランス管３４に室外ユニット１が接続されるとともに、室内機３０ａ、３０ｂが並列に接続されて構成されている。
【００１６】
四方弁１９が図３に示す状態に切替わると、冷媒は、図３の矢印で示す方向に流れる。この場合には、室外膨張弁２４、及び室内メカ弁４０ａ、４０ｂは負荷に応じて開度調整される。室外ユニット１の水冷式熱交換器２０は蒸発器として作用し、室内熱交換器４１ａ、４１ｂは凝縮器として作用する。即ち、室内熱交換器４１ａ、４１ｂからは温風が送出され、暖房運転が行われる。
【００１７】
四方弁１９が、図示と反対に切替わると、冷媒は、図３の矢印と反対の方向に流れる。この場合には、室外膨張弁２４は略全開で、室内メカ弁４０ａ、４０ｂは負荷に応じて開度調整される。室外ユニット１の水冷式熱交換器２０は凝縮器として作用し、室内熱交換器４１ａ、４１ｂは蒸発器として作用する。即ち、室内熱交換器４１ａ、４１ｂからは冷風が送出され、冷房運転が行われる。
【００１８】
水冷式熱交換器２０には、それぞれ冷却水循環管路３５が設けられている。この冷却水循環管路３５の一部は、冷媒管の外側を水が流れる二重構造の管で構成されると共に、図２に示すように、４つの管路３５ａ〜３５ｄ（多パス構造）で構成されており、４つの領域で冷媒との熱交換が可能になっている。
【００１９】
図４は、図２に示す電装箱を単体で示す斜視図である。電装箱１１の外形は、図２および図３に示すように、基板５１が取り付けられる基板取付板５２、上面板５３、左側の側板５４、右側の側板５５で構成されており、下側および正面側は開放面となっている。この基板取付板５２は、図３に示すように、右側部分が前方に向けて傾斜する傾斜部を有しており、この傾斜部によって圧縮機１８ｂとの干渉を避けるようになっている。また、基板取付板５２は、図３に示すように、傾斜部を除く左上側の面が、正面側に向けて１段高くなるように形成されている。
【００２０】
一方、電装箱１１の内部には、図３に示すように、電装箱１１の下側から見て略Ｌ字形状に形成された取付プレート５６が取り付けられている。この取付プレート５６は、基板を取り付けるための取付面５６ａが形成されており、この取付面５６ａが基板取付板５２と略平行に配置され、Ｌ字形状の一端部が基板取付板５２に締結部材で取り付けられ、Ｌ字形状の他端部が右側の側板５５の近くで取り付けられている。
【００２１】
図５は、図１における蓋部１６が取り外されることにより見えるメンテナンススペースを拡大して示す斜視図である。
蓋部１６の裏側には、段差面１２および１３に亘って点検口７０（開口部）が形成されている。この点検口７０は、室外ユニット１の内部に形成されたメンテナンススペースＳに作業者がアクセス可能になっている。一方、このメンテナンススペースＳには、冷媒管に設けられた電磁弁を固定するための取付ステー７１が取り付けられている。
【００２２】
図６は、取付ステー７１に電磁弁コイルを取り付けた状態を示す斜視図である。
取付ステー７１は、図６に示すように、鋼板を略Ｌ字形状に折り曲げて一体に形成したものであり、取付ステー７１を室外ユニット１に取り付けた状態で室外ユニット１の奥行き方向に延びる第１平面部７１ａと、室外ユニット１の前面板７と略平行な第２平面部７１ｂとを備えている。この第１平面部７１ａの先端部には、取付ステー７１の略Ｌ字形状の外側に折り曲げられ、段差面１２と略平行な面を有する取付部７２が形成されている。一方、第２平面部７１ｂの先端部には、取付ステー７１の内側に折り曲げられ、略水平面を有する取付部７３が形成されている。この取付部７２は、段差面１２の近傍にねじなどの締結部材で取り付けられており、取付部７３は、段差面１３の近傍に締結部材で取り付けられている。
【００２３】
この取付ステー７１には、電磁弁コイルを室内ユニット１の内部の１箇所にまとめて配置するためのものであり、図６に示すように、５つの電磁弁コイル８０が取り付けられている。詳細には、５つの電磁弁コイル８０は、第１平面部７１ａに１つと、第２平面部７１ｂの外側面（前面板７側から見て裏側の面）に４つとが、点検口７０の外側から水平方向に挿入される取付ねじ８１によって取り付けられている。
【００２４】
この第２平面部７１ｂの外側面に並列に位置する４つの電磁弁コイル８０は、図６に示すように、上下方向における取り付け高さが１つおきに異なるように互い違いに配置されている。これにより、各電磁弁コイル８０が発熱したとしても、隣り合う電磁弁コイル８０に熱による影響を与えることがなく、かつ、電磁弁コイル８０のそれぞれの放熱性を高めることができるようになっている。また、これらの電磁弁コイル８０の上面には、取付孔８２がそれぞれ設けられている。なお、図６において、上側に位置する電磁弁コイルを８０ａ、下側に位置する電磁弁コイルを８０ｂと示す。
【００２５】
これらの電磁弁コイル８０の上側には、電磁弁３６ａ、３６ｂ、３６ｃ、３６ｄ（図３参照。図６では図示せず）がそれぞれ取り付けられることになる。この電磁弁は、上方からねじ等の締結部材が挿入されて、さらにこの締結部材が電磁弁コイル８０の取付孔８２に挿通（螺合）されることにより取り付けられることになる。
【００２６】
上側に位置する電磁弁コイル８０ａは、図６に示すように、その上面が取付ステー７１の上端縁とほぼ同じ高さに取り付けられている。そのため、電磁弁と電磁弁コイル８０ａとの取付状態は、取付ステー７１の上端縁の上側から、作業者が取付ステー７１の裏側を覗き込まなくても確認することができる。
【００２７】
一方、下側に位置する電磁弁コイル８０ｂは、その上面が取付ステー７１の上端縁よりも下側に位置することになる。そして、この室外ユニット１では、上下方向の外形寸法を短くするために、取付ステー７１の上側には、広いメンテナンススペースを設けていない。ゆえに、作業者は、この取付ステー７１の上側から覗き込んで電磁弁コイル８０ｂを確認できない。そのため、取付ステー７１には、電磁弁とこの電磁弁コイル８０ｂとの取付部が視認可能な確認孔（確認手段）７４が形成されている。詳細には、確認孔７４は、電磁弁コイル８０ｂと電磁弁とが接する部分、および／または、電磁弁の上側から挿通される締結部材の頭部がこの確認孔７４から視認可能な大きさに形成されている。
【００２８】
本発明の実施の形態に係る室外ユニットによれば、電磁弁及び電磁弁コイル８０ｂが取付ステー７１の裏側面に取り付けられ、取付ステー７１に電磁弁及び電磁弁コイル８０ｂの取付確認を取付ステー７１の表側面から行い得る確認孔７４を形成したので、この確認孔７４から取付確認を行うことができる。そのため、メンテナンススペースＳの上側に確認用のスペースを設ける必要がなくなるので、室外ユニット１の縦方向の寸法を小さくすることができる。また、確認作業が取付ステー７１の表面側の正面から行うことができるので、作業効率が良く、かつ、作業の精度をより高めることができる。
【００２９】
以上、本発明を実施するための最良の形態について述べたが、本発明は既述の実施形態に限定されるものではなく、本発明の技術思想に基づいて各種の変形および変更が可能である。
本実施の形態では、取付部分の状態が視認可能になるように確認孔７４を設けているが、取付確認が取付ステー７１の表面側からできるものであれば、視認による確認に限定されない。例えば、確認孔７４から治具等を挿入することにより、電磁弁と電磁弁コイル８０ｂとの隙間の有無を治具で確認することで取付確認ができるものも、本発明の範囲内に含まれる。
【００３０】
また、本実施の形態では、確認手段を確認孔７４としているが、固定部が視認可能であれば、取付ステー７１の外縁から延びるように形成された切り欠き（確認手段）であってもかまわない。
さらには、取付ステー７１の上縁部を階段状に形成して（確認手段）、各電磁弁コイルの取付位置に取付ステー７１の上縁部があるようにして、電磁弁コイルの固定部の取付状態を視認可能にしてもよい。
【図面の簡単な説明】
【００３１】
【図１】本発明の実施の形態に係る室外ユニットの斜視図である。
【図２】図１の室外ユニットから上面板、右側の側板、前面板および蓋部を省略して示す斜視図である。
【図３】本発明の実施の形態に係る室外ユニットを備えてなる空気調和装置の冷媒回路図である。
【図４】図２に示す電装箱を単体で示す斜視図である。
【図５】図１における蓋部が取り外されることにより見えるメンテナンススペースを拡大して示す斜視図である。
【図６】図５における取付ステーに電磁弁コイルを取り付けた状態を示す斜視図である。
【符号の説明】
【００３２】
１  室外ユニット
７  前面板
１２、１３  段差面
１６  蓋部
１８ａ、１８ｂ  圧縮機
２０  水冷式熱交換器
３０ａ、３０ｂ  室内機
３１  空気調和装置
３４  ユニット間配管
３５  冷却水循環管路
３６ａ、３６ｂ、３６ｃ、３６ｄ  電磁弁
５６  取付プレート
５６ａ  取付面
７０  点検口（開口部）
７１  取付ステー
７１ａ  第１平面部
７１ｂ  第２平面部
７４  確認孔（確認手段）
８０ａ  上側に位置する電磁弁コイル
８０ｂ  下側に位置する電磁弁コイル
Ｓ  メンテナンススペース
【図１】
2008008497.tif 000003
【図２】
2008008497.tif 000004
【図３】
2008008497.tif 000005
【図４】
2008008497.tif 000006
【図５】
2008008497.tif 000007
【図６】
2008008497.tif 000008